【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
電子写真画像形成装置本体に着脱可能なプロセスカートリッジであって、
電子写真感光体ドラムと、
前記電子写真感光体ドラムに作用するプロセス手段と、
前記プロセスカートリッジを前記装置本体に装着した際に、前記装置本体に設けられた本体位置決め部と係合して、前記電子写真感光体ドラムの軸線方向と交差する方向において前記プロセスカートリッジの位置決めをおこなうカートリッジ位置決め部と、
前記プロセスカートリッジを前記軸線方向から前記装置本体に装着する装着方向下流側に移動可能に設けられた移動部材であって、前記プロセスカートリッジを前記装置本体に装着する装着過程において、前記装着方向において前記装置本体と当接する第一の位置と、前記プロセスカートリッジを前記装置本体に装着した際に、前記カートリッジ位置決め部を前記本体位置決め部に当接させて前記交差する方向において前記プロセスカートリッジの位置決めをするために、前記装置本体に設けられた押圧部材と当接して前記交差する方向の力を受ける第二の位置と、をとり得る移動部材と、
を有することを特徴とするプロセスカートリッジ。
【請求項２】
前記カートリッジ位置決め部は、前記電子写真感光体ドラムを回転可能に支持する軸受部材であることを特徴とする請求項１に記載のプロセスカートリッジ。
【請求項３】
前記移動部材は、前記軸受部材に設けられていることを特徴とする請求項２に記載のプロセスカートリッジ。
【請求項４】
前記移動部材は、回転軸を中心に回転可能に設けられて、前記装着過程において、前記移動部材は前記装置本体と当接することによって前記装着方向の上流側に回転することを特徴とする請求項１乃至３のいずれか１項に記載のプロセスカートリッジ。
【請求項５】
更に、前記プロセスカートリッジは、前記移動部材を前記第一の位置に付勢する付勢部材を有することを特徴とする請求項１乃至４のいずれか１項に記載のプロセスカートリッジ。
【請求項６】
更に、前記プロセスカートリッジは、前記プロセスカートリッジを前記装置本体に装着した際に、前記プロセスカートリッジを前記装置本体に設けられた第二の本体位置決め部に当接して、前記軸線方向において前記プロセスカートリッジの位置決するための第二のカートリッジ位置決め部を有し、前記移動部材は、前記第二の位置において前記押圧部材と当接することによって、第二のカートリッジ位置決め部を前記第二の本体位置決め部に当接させるための前記軸線方向の力を受けることを特徴とする請求項１乃至５のいずれか１項に記載のプロセスカートリッジ。
【請求項７】
前記第二のカートリッジ位置決め部は、前記カートリッジ位置決め部に一体的に設けられていることを特徴とする請求項６に記載のプロセスカートリッジ。
【請求項８】
前記移動部材は、前記電子写真感光体ドラムをアースするために、導電性を有することを特徴とする請求項１乃至７のいずれか１項に記載のプロセスカートリッジ。
【請求項９】
記録媒体に画像を形成する、プロセスカートリッジを着脱可能な電子写真画像形成装置あって、
（ａ）本体位置決め部と、
（ｂ）押圧部材と、
（ｃ）電子写真感光体ドラムと、前記電子写真感光体ドラムに作用するプロセス手段と、前記プロセスカートリッジを前記電子写真画像形成装置の装置本体に装着した際に、前記本体位置決め部と係合して、前記電子写真感光体ドラムの軸線方向と交差する方向において前記プロセスカートリッジの位置決めをおこなうカートリッジ位置決め部と、前記プロセスカートリッジを前記軸線方向から前記装置本体に装着する装着方向下流側に移動可能に設けられた移動部材であって、前記プロセスカートリッジを前記装置本体に装着する装着過程において、前記装着方向において前記装置本体と当接する第一の位置と、前記プロセスカートリッジを前記装置本体に装着した際に、前記カートリッジ位置決め部を前記本体位置決め部に当接させて前記交差する方向において前記プロセスカートリッジの位置決めをするために、前記押圧部材と当接して前記交差する方向の力を受ける第二の位置と、をとり得る移動部材と、を有するプロセスカートリッジを取り外し可能に装着する装着手段と、
（ｄ）前記記録媒体を搬送する搬送手段と、
を有することを特徴とする電子写真画像形成装置。
【請求項１０】
電子写真画像形成装置本体に着脱可能なプロセスカートリッジであって、
電子写真感光体ドラムと、
前記電子写真感光体ドラムに作用するプロセス手段と、
前記プロセスカートリッジを前記装置本体に装着した際に、前記装置本体に設けられた本体位置決め部と係合して、前記電子写真感光体ドラムの軸線方向と交差する方向において前記プロセスカートリッジの位置決めをおこなうカートリッジ位置決め部と、
前記プロセスカートリッジを前記軸線方向から前記装置本体に装着する装着方向下流側に設けられた被押圧部材であって、前記プロセスカートリッジを前記装置本体に装着する装着過程において、前記装着方向において前記装置本体に移動可能に設けられた押圧部材と当接する第一被押圧部と、前記プロセスカートリッジを前記装置本体に装着した際に、前記カートリッジ位置決め部を前記本体位置決め部に当接させて前記交差する方向において前記プロセスカートリッジの位置決めをするために、前記押圧部材と当接して前記交差する方向の力を受ける第二被押圧部と、を有する被押圧部材と、
を有することを特徴とするプロセスカートリッジ。
【請求項１１】
前記被押圧部材は、前記プロセスカートリッジを前記装置本体から取り外す際に、前記押圧部材と係合して前記押圧部材を前記装着方向の上流側に移動させることを特徴とする請求項１０に記載のプロセスカートリッジ。
【請求項１２】
前記被押圧部材は、前記交差する方向において前記プロセスカートリッジに設けられた枠体に移動可能に設けられていることを特徴とする請求項１０又は１１に記載のプロセスカートリッジ。
【請求項１３】
更に、前記プロセスカートリッジは、前記被押圧部材と前記カートリッジ位置決め部との間に、前記カートリッジ位置決め部を前記本体位置決め部に押圧するためのばね部材を有することを特徴とする請求項１２に記載のプロセスカートリッジ。
【請求項１４】
記録媒体に画像を形成する、プロセスカートリッジを着脱可能な電子写真画像形成装置あって、
（ａ）本体位置決め部と、
（ｂ）移動可能に設けられた押圧部材と、
（ｃ）電子写真感光体ドラムと、前記電子写真感光体ドラムに作用するプロセス手段と、前記プロセスカートリッジを前記電子写真画像形成装置の装置本体に装着した際に、前記本体位置決め部と係合して、前記電子写真感光体ドラムの軸線方向と交差する方向において前記プロセスカートリッジの位置決めをおこなうカートリッジ位置決め部と、前記プロセスカートリッジを前記軸線方向から前記装置本体に装着する装着方向下流側に設けられた被押圧部材であって、前記プロセスカートリッジを前記装置本体に装着する装着過程において、前記装着方向において前記押圧部材と当接する第一被押圧部と、前記プロセスカートリッジを前記装置本体に装着した際に、前記カートリッジ位置決め部を前記本体位置決め部に当接させて前記交差する方向において前記プロセスカートリッジの位置決めをするために、前記押圧部材と当接して前記交差する方向の力を受ける第二被押圧部と、を有する被押圧部材と、を有するプロセスカートリッジを取り外し可能に装着する装着手段と、
（ｄ）前記記録媒体を搬送する搬送手段と、
を有することを特徴とする電子写真画像形成装置。
【請求項１５】
前記押圧部材は、前記装置本体に回転可能に支持される支持部と、前記被押圧部材に当接する作用部と、を有することを特徴とする請求項１４に記載の電子写真画像形成装置。
【請求項１６】
前記押圧部材は、前記装置本体に回転可能に支持される支持部と、前記被押圧部材に当接する作用部と、前記支持部と前記作用部との間に設けられた、前記支持部に対して前記作用部を付勢するバネ部材と、を有することを特徴とする請求項１４に記載の電子写真画像形成装置。
【手続補正２】
【補正対象書類名】明細書
【補正対象項目名】００１２
【補正方法】変更
【補正の内容】
【００１２】
上記の目的を達成するための本発明に係るプロセスカートリッジの代表的な構成は、電子写真画像形成装置本体に着脱可能なプロセスカートリッジであって、電子写真感光体ドラムと、前記電子写真感光体ドラムに作用するプロセス手段と、前記プロセスカートリッジを前記装置本体に装着した際に、前記装置本体に設けられた本体位置決め部と係合して、前記電子写真感光体ドラムの軸線方向と交差する方向において前記プロセスカートリッジの位置決めをおこなうカートリッジ位置決め部と、前記プロセスカートリッジを前記軸線方向から前記装置本体に装着する装着方向下流側に移動可能に設けられた移動部材であって、前記プロセスカートリッジを前記装置本体に装着する装着過程において、前記装着方向において前記装置本体と当接する第一の位置と、前記プロセスカートリッジを前記装置本体に装着した際に、前記カートリッジ位置決め部を前記本体位置決め部に当接させて前記交差する方向において前記プロセスカートリッジの位置決めをするために、前記装置本体に設けられた押圧部材と当接して前記交差する方向の力を受ける第二の位置と、をとり得る移動部材と、を有することを特徴とする。
【手続補正３】
【補正対象書類名】明細書
【補正対象項目名】００１３
【補正方法】変更
【補正の内容】
【００１３】
また、上記の目的を達成するための本発明に係る電子写真画像形成装置の代表的な構成は、記録媒体に画像を形成する、プロセスカートリッジを着脱可能な電子写真画像形成装置あって、（ａ）本体位置決め部と、（ｂ）押圧部材と、（ｃ）電子写真感光体ドラムと、前記電子写真感光体ドラムに作用するプロセス手段と、前記プロセスカートリッジを前記電子写真画像形成装置の装置本体に装着した際に、前記本体位置決め部と係合して、前記電子写真感光体ドラムの軸線方向と交差する方向において前記プロセスカートリッジの位置決めをおこなうカートリッジ位置決め部と、前記プロセスカートリッジを前記軸線方向から前記装置本体に装着する装着方向下流側に移動可能に設けられた移動部材であって、前記プロセスカートリッジを前記装置本体に装着する装着過程において、前記装着方向において前記装置本体と当接する第一の位置と、前記プロセスカートリッジを前記装置本体に装着した際に、前記カートリッジ位置決め部を前記本体位置決め部に当接させて前記交差する方向において前記プロセスカートリッジの位置決めをするために、前記押圧部材と当接して前記交差する方向の力を受ける第二の位置と、をとり得る移動部材と、を有するプロセスカートリッジを取り外し可能に装着する装着手段と、（ｄ）前記記録媒体を搬送する搬送手段と、を有することを特徴とする。
【手続補正４】
【補正対象書類名】明細書
【補正対象項目名】００１５
【補正方法】変更
【補正の内容】
【００１５】
また、上記の目的を達成するための本発明に係る電子写真画像形成装置の他の代表的な構成は、記録媒体に画像を形成する、プロセスカートリッジを着脱可能な電子写真画像形成装置あって、（ａ）本体位置決め部と、（ｂ）移動可能に設けられた押圧部材と、（ｃ）電子写真感光体ドラムと、前記電子写真感光体ドラムに作用するプロセス手段と、前記プロセスカートリッジを前記電子写真画像形成装置の装置本体に装着した際に、前記本体位置決め部と係合して、前記電子写真感光体ドラムの軸線方向と交差する方向において前記プロセスカートリッジの位置決めをおこなうカートリッジ位置決め部と、前記プロセスカートリッジを前記軸線方向から前記装置本体に装着する装着方向下流側に設けられた被押圧部材であって、前記プロセスカートリッジを前記装置本体に装着する装着過程において、前記装着方向において前記押圧部材と当接する第一被押圧部と、前記プロセスカートリッジを前記装置本体に装着した際に、前記カートリッジ位置決め部を前記本体位置決め部に当接させて前記交差する方向において前記プロセスカートリッジの位置決めをするために、前記押圧部材と当接して前記交差する方向の力を受ける第二被押圧部と、を有する被押圧部材と、を有するプロセスカートリッジを取り外し可能に装着する装着手段と、（ｄ）前記記録媒体を搬送する搬送手段と、を有することを特徴とする。
【手続補正５】
【補正対象書類名】明細書
【補正対象項目名】００４３
【補正方法】変更
【補正の内容】
【００４３】
また、軸受３２には、その上方において移動部材であるアーム３６が回動軸３７を中心に、装着方向に回動可能に結合している。そして、回動軸３７には付勢部材であるコイルバネ３８が巻きつけられている。このコイルバネ３７は、アーム３６がカートリッジ単体状態（アーム３６の自由状態）でカートリッジ３の装着方向下流側（第一の位置）に倒れるようアーム３６を付勢している。また、軸受３２には、カートリッジ単体状態でアーム３６がドラム軸に対して７０度程度の角度で倒れた姿勢を維持するような回転止め（不図示）が設けられている。すなわち、アーム３６はその自由状態において、アーム先端が前記下流側に常に突き出るような所定の斜め角度の第一の位置（図６）に保持されている。